(57)【要約】肩を外科的に修復するのに使用される移植片（１０）が生体移植片（１２）を含む。刺繍布（１４）が生体移植片を支持する。縫合糸（２７）が、生体移植片と刺繍布とを互いに取り付ける。
2020503932.tif 000002
【特許請求の範囲】
【請求項１】
移植片であって、
生体移植片と、
前記生体移植片を支持する刺繍布と、
前記生体移植片と前記刺繍布とを互いに取り付ける縫合糸と
を含む、移植片。
【請求項２】
前記刺繍布はポリエステルから形成される、請求項１に記載の移植片。
【請求項３】
前記刺繍布は、それらの間に間隙を有するポリエステル糸から形成される、請求項１に記載の移植片。
【請求項４】
前記生体移植片は自家移植片である、請求項１に記載の移植片。
【請求項５】
前記生体移植片及び前記刺繍布はそれぞれ四辺形の形状を有する、請求項１に記載の移植片。
【請求項６】
前記移植片は、第１の端部領域における第１の幅と、第２の端部領域における第２の幅と、前記第１の端部領域と前記第２の端部領域との間に延びる長さとを有し、前記第１の幅は前記第２の幅より大きい、請求項１に記載の移植片。
【請求項７】
前記移植片の前記第１の端部領域は、上腕骨の穴に受け入れられる縫合糸アンカーと少なくとも１つの縫合テープとを用いて前記上腕骨に取り付けられる、請求項６に記載の移植片。
【請求項８】
前記移植片の前記第２の端部領域は、肩甲骨の関節窩の穴に受け入れられる縫合糸アンカーと少なくとも１つとを用いて前記関節窩に取り付けられる、請求項６に記載の移植片。
【請求項９】
前記第１の端部は上腕骨に取り付けられ、前記第２の端部領域は肩甲骨の関節窩に取り付けられる、請求項６に記載の移植片。
【請求項１０】
前記刺繍布及び前記生体移植片は同じ形状及び同じサイズを有する、請求項１に記載の移植片。
【請求項１１】
前記刺繍布と前記生体移植片とを互いに取り付ける前記縫合糸は、前記移植片の各角に配置される、請求項１に記載の移植片。
【請求項１２】
前記刺繍布と前記生体移植片とを互いに取り付ける前記縫合糸は、前記移植片の各角の間に配置される、請求項１１に記載の移植片。
【請求項１３】
前記移植片の前記第１の端部領域及び前記第２の端部領域はそれぞれ、より太い糸又はより密な織り方によって形成された補強部である、請求項１に記載の移植片。
【請求項１４】
外科的修復アセンブリであって、
生体移植片と、前記生体移植片を支持する刺繍布と、前記生体移植片と前記刺繍布とを互いに取り付ける縫合糸とを含む移植片であって、第１の端部領域と第２の端部領域とを有する移植片と、
第１の骨に受け入れられる第１の縫合糸アンカーと、
第２の骨に受け入れられる第２の縫合糸アンカーと
を含み、
第１の縫合糸が前記移植片の第１の端部領域を前記第１の縫合糸アンカー及び前記第１の骨に固定し、
第２の縫合糸が前記移植片の第２の端部領域を前記第２の縫合糸アンカー及び前記第２の骨に固定する、外科的修復アセンブリ。
【請求項１５】
前記第１の骨は上腕骨であり、前記第２の骨は肩甲骨の関節窩である、請求項１４に記載の外科的修復アセンブリ。
【請求項１６】
前記刺繍布はポリエステルから形成される、請求項１４に記載の外科的修復アセンブリ。
【請求項１７】
前記移植片の前記第１の端部領域及び前記第２の端部領域はそれぞれ、より太い糸又はより密な織り方によって形成された補強部である、請求項１４に記載の外科的修復アセンブリ。
【発明の詳細な説明】
【背景技術】
【０００１】
関連出願の相互参照
本出願は、２０１７年１月４日に出願された米国特許出願第１５／３９８，０１８号に対する優先権を主張する。
【０００２】
肩関節は、肩甲骨の関節窩と上腕骨頭との間に画定される。上方関節包再建（ＳＣＲ）術では、生体移植片を用いて肩関節の回旋腱板の断裂を修復する。
【０００３】
損傷後の肩関節内の安定性を回復するために、上腕骨及び肩甲骨の関節窩にまたがって回旋腱板を修復するように真皮同種移植片を使用することができる。しかしながら、皮膚同種移植片は広く利用可能ではない。自家移植組織は代替的な選択肢であるが、それは真皮同種移植片ほど強くない。これを補うために、より大きい自家移植組織を用いて更なる強度を提供することができる。しかしながら、より多くの組織が必要とされるので、これにより患者のドナー部位の罹患率も増大する。
【発明の概要】
【課題を解決するための手段】
【０００４】
移植片が生体移植片を含む。刺繍布が生体移植片を支持する。縫合糸が、生体移植片と刺繍布とを互いに取り付ける。
【０００５】
一実施形態において、刺繍布はポリエステルから形成される。
【０００６】
別の実施形態において、刺繍布は、それらの間に間隙が配置されたポリエステル糸から形成される。
【０００７】
別の実施形態において、生体移植片は自家移植片である。
【０００８】
別の実施形態において、生体移植片及び刺繍布はそれぞれ四辺形の形状を有する。
【０００９】
別の実施形態において、移植片は、第１の端部領域における第１の幅と、第２の端部領域における第２の幅と、第１の端部領域と第２の端部領域との間に延びる長さとを有し、第１の幅は第２の幅より大きい。
【００１０】
別の実施形態において、移植片の第１の端部領域は、上腕骨の穴に受け入れられる縫合糸アンカーと少なくとも１つの縫合テープとを用いて上腕骨に取り付けられる。
【００１１】
別の実施形態において、移植片の第２の端部領域は、肩甲骨の関節窩の穴に受け入れられる縫合糸アンカーと少なくとも１つとを用いて関節窩に取り付けられる。
【００１２】
別の実施形態において、第１の端部は上腕骨に取り付けられ、第２の端部領域は肩甲骨の関節窩に取り付けられる。
【００１３】
別の実施形態において、刺繍布及び生体移植片は同じ形状及び同じサイズを有する。
【００１４】
別の実施形態において、刺繍布と生体移植片とを互いに取り付ける縫合糸は、移植片の各角に配置される。
【００１５】
別の実施形態において、刺繍付き布地と生体移植片とを互いに取り付ける縫合糸は、移植片の各角の間に配置される。
【００１６】
別の実施形態において、移植片の第１の端部領域及び第２の端部領域はそれぞれ、より太い糸又はより密な織り方によって形成された補強部である。
【００１７】
別の実施形態において、外科的修復アセンブリは生体移植片を含む移植片を含む。刺繍布が生体移植片を支持する。縫合糸が、生体移植片と刺繍布とを互いに取り付ける。移植片は第１の端部領域と第２の端部領域とを有する。第１の縫合糸アンカーが第１の骨に受け入れられる。第１の縫合糸が、移植片の第１の端部領域を第１の縫合糸アンカー及び第１の骨に固定する。第２の縫合糸アンカーが第２の骨に受け入れられる。第２の縫合糸が、移植片の第２の端部領域を第２の縫合糸アンカー及び第２の骨に固定する。
【００１８】
別の実施形態において、第１の骨は上腕骨であり、第２の骨は肩甲骨の関節窩である。
【００１９】
別の実施形態において、刺繍布はポリエステルから形成される。
【００２０】
別の実施形態において、移植片の第１の端部領域及び第２の端部領域はそれぞれ、より太い糸又はより密な織り方によって形成された補強部である。
【図面の簡単な説明】
【００２１】
本発明の他の利点は、添付の図面と関連して考慮されるときに以下の詳細な説明を参照することによって理解することができる。
【図１】刺繍布によって支持される生体移植片を含む移植片の底面図を概略的に示す。
【図２】移植片の上面図を概略的に示す。
【図３】肩関節に取り付けられた移植片を概略的に示す。
【図４】補強された縁を有する移植片を概略的に示す。
【発明を実施するための形態】
【００２２】
図１及び図２は、肩を外科的に修復するのに使用される移植片１０を概略的に示す。移植片１０は、刺繍布１４によって支持される生体移植片１２を含む。移植片１０は硬くはなく、ある程度の弾力性を有する。
【００２３】
刺繍布１４は、ポリエステル糸１６から刺繍されてポリエステルパッチを作り出すことができる。ポリエステル糸１６の糸セグメント間に間隙１８が画定されている。ポリエステル糸１６は任意の太さ又は直径を有することができる。刺繍布１４の密度及び模様は様々であり得る。刺繍布１４は、密な網目を有し、これは、身体に対する外傷性及び研磨性が少ない。刺繍布１４の間隙１８は、ポリエステル糸１６間の組織の内部成長及び捕捉を促進する。治癒の間、組織は刺繍布１４の間隙１８内に成長し、さらに刺繍布１４を身体に固定することができる。別の実施例において、刺繍布１４は織布であることができる。生体移植片１２及び刺繍布１４は、移植片１０の用途、強度及び必要とされる可撓性に応じて、多様な寸法、サイズ、及び厚さを有することができる。
【００２４】
自家移植組織などの生体移植片１２は、患者又は死体から採取される。一実施例において、生体移植片１２及び刺繍布１４は両方とも四辺形の形状を有する。移植片１０は、約４ｃｍ（１．５８インチ）の長さＬと、約２．５ｃｍ（１インチ）の第１の端部領域２０における第１の幅Ｗ１と、約２．０ｃｍ（０．７９インチ）の第２の端部領域２２における第２の幅Ｗ２とを有する。第１の端部領域２０の幅Ｗ１は、第２の端部領域２２の幅Ｗ２よりも大きい寸法を有する。図３に示すように、移植片１０の第１の端部領域２０は肩の上腕骨２４に取り付けられ、移植片１０の第２の端部領域２２は肩甲骨の関節窩２６に取り付けられ、回旋腱板断裂を修復する。
【００２５】
刺繍布１４は、生体移植片１２に取り付けられる。一実施例において、刺繍布１４は、縫合糸２７によって生体移植片に取り付けられる。刺繍布１４は、生体移植片１２とほぼ同じ外形、形状、及びサイズを有する。一実施例において、刺繍布１４及び生体移植片１２は外周で取り付けられる。縫合糸２７ａ、２７ｂ、２７ｃ、及び２７ｄを移植片１０の各角の近傍に配置して、刺繍布１４を生体移植片１２に固定することができる。角部の間の位置に縫合糸２７ｅを配置して、刺繍布１４を生体移植片１２にさらに固定することもできる。
【００２６】
図４に示すように、一実施例において、移植片１０の第１の端部領域２０及び第２の端部領域２２は、追加の材料で補強されて、それぞれ補強部２８及び３０を形成する。追加の材料は、移植片１０をそれぞれ上腕骨２４及び肩甲骨の関節窩２６に取り付ける際に、縫合糸３６及び３８（後述する）が移植片１０を通り抜けるのを防ぐために、第１の端部領域２０及び第２の端部領域２２を補強する。一実施例において、刺繍布１４を作成するときに、より太いポリエステル糸１６が端部領域２０及び２２に使用される。別の実施例において、ポリエステル糸１６の密度は端部領域２０及び２２においてより大きい。すなわち、端部領域２０及び２２は、これらの領域に強度を加えるために、刺繍布１４の残りの部分よりも多くのステッチ及び少ない間隙１８を含むことができる。
【００２７】
図３に戻って、移植片１０が準備されると、移植片１０の第１の端部領域２０は上腕骨２４に取り付けられ、移植片１０の第２の端部領域２２は肩甲骨の関節窩２６に取り付けられる。一実施例において、上腕骨２４に２つの穴が開けられ、縫合糸アンカー３４ａ及び３４ｂが上腕骨２４の各穴に受け入れられる。２つの第１の縫合テープ３６ａが第１の縫合糸アンカー３４ａによって上腕骨２４に取り付けられ、２つの第２の縫合テープ３６ｂが第２の縫合糸アンカー３４ｂによって上腕骨２４に取り付けられる。
【００２８】
肩甲骨の関節窩２６に２つの穴が開けられ、各穴に縫合糸アンカー（図示せず）が受け入れられる。２つの第１の縫合糸３８ａが第１の縫合糸アンカーによって肩甲骨の関節窩２６に取り付けられ、２つの第２の縫合糸３８ｂが第２の縫合糸アンカーによって肩甲骨の関節窩２６に取り付けられる。
【００２９】
移植片１０が準備されると、２つの縫合テープ３６ａ及び３６ｂが移植片１０の第１の端部領域２０に通され、２つの縫合糸３８ａ及び３８ｂが移植片１０の第２の端部領域２２に通される。第１の縫合糸３６ａの一方と第２の縫合糸３６ｂの一方は互いに取り付けられており、他方の第１の縫合糸３６ａと他方の第２の縫合糸３８ｂは自由であり、取り付けられていない。第１の縫合糸３６ａ及び第２の縫合糸３６ｂの自由でかつ取り付けられていない糸を引っ張って、移植片１０の第２の端部領域２２を肩甲骨の関節窩２４上に位置決めする。次に、他の第１の縫合糸３６ａと他の第２の縫合糸３６ｂを結ぶ。
【００３０】
移植片１０の第１の端部領域２０にある第１の縫合テープ３６ａ及び第２の縫合テープ３６ｂは次に、移植片１０の第１の端部領域２０を上腕骨２４に固定するのに使用される。一実施例において、第１の縫合テープ３６ａ及び第２の縫合テープ３６ｂは、強度を増すために十字パターンで配置される。次に、縫合テープ３６ａ及び３６ａを用いて、移植片１０の第１の端部領域２０を上腕骨２４に固定する。
【００３１】
刺繍布１４は、生体移植片１２を強化し、修復を増強する。刺繍布１４は、治癒に十分な長い間、生体移植片をその位置に維持し、治癒が完了する前に移植片１０が修復部位から引き離されるのを防ぐ。刺繍布１４は、生体移植片１２を支持するか又は部分的に支持／荷重分担することができる。刺繍布１４は高い荷重を支持し、移植片１０が治癒するのを可能にする。移植片１０が治癒すると、刺繍布１４からの支持はもはや不要である。
【００３２】
前述の説明は、本発明の原理の単なる例示である。上記の教示に照らして、本発明の多くの修正及び変形が可能である。しかしながら、本発明の好ましい実施形態が開示されたので、当業者であれば、一部の修正が本発明の範囲内に入ることを認識するであろう。したがって、添付の特許請求の範囲内で、本発明は具体的に記載されたものとは別の方法で実施され得ることを理解すべきである。そのため、本発明の真の範囲及び内容を判断するために添付の特許請求の範囲を検討すべきである。
【図１】
2020503932.tif 000003
【図２】
2020503932.tif 000004
【図３】
2020503932.tif 000005
【図４】
2020503932.tif 000006
【国際調査報告】
2020503932.tif 000007
2020503932.tif 000008
2020503932.tif 000009